(57)【要約】【課題】医療用手袋及び内視鏡装置に潤滑剤が塗布されても、内視鏡装置が医療用手袋から滑るのを防止する医療用手袋を提供する。  ゴーズなどの他の仲介手段を必要とせず、操作が容易であり、汚染が生じない医療用手袋を提供する。【解決手段】手を覆うように形成される本体部と、本体部の一側に設けられ、本体部で物体を把持するとき、物体の滑りを防止するために多数の小片として形成される滑り防止体部と、を含み、前記各滑り防止体は、所定の間隔を有して形成され、本体部を通して物体を手で感知できるようにする医療用手袋。【選択図】図１
2010043382.tif 000002
【特許請求の範囲】
【請求項１】
手を覆うように形成される本体部と、
前記本体部の一側に設けられ、前記本体部で物体を把持するとき、前記物体の滑りを防止するために多数の小片として形成される滑り防止体と、を含み、
前記各滑り防止体は、所定の間隔を有して形成されて、前記本体部を通して前記物体を手で感知できるようにする医療用手袋。
【請求項２】
前記滑り防止体は、人差し指部分と親指部分に設けられることを特徴とする請求項１に記載の医療用手袋。
【請求項３】
前記滑り防止体は、不織布材質で形成されることを特徴とする請求項１に記載の医療用手袋。
【請求項４】
前記滑り防止体は、シリコン材質で形成されることを特徴とする請求項１に記載の医療用手袋。
【請求項５】
前記滑り防止体は、中指部分と前記手の平部分に形成されることを特徴とする請求項１に記載の医療用手袋。
【発明の詳細な説明】
【技術分野】
【０００１】
本発明は、医療用手袋に関するもので、より詳細には、医療用機器を操作するとき、その操作を容易にする医療用手袋に関するものである。
【背景技術】
【０００２】
一般的に、医者は、患者の体内を検査するために内視鏡装置を使用している。すなわち、内視鏡装置を用いて、患者の大腸や胃などを検査する。
【０００３】
このとき、医者たちは、医療用手袋を着用してから内視鏡装置を操作するが、内視鏡装置を患者の大腸や胃の内部に容易に挿入できるように、医療用手袋と内視鏡装置に潤滑剤を塗布する。
【０００４】
そして、医者は、潤滑剤が塗布された医療用手袋を着用した状態で、内視鏡装置を患者の体内に挿入する。
【０００５】
しかしながら、上記のような従来技術には、次のような問題点がある。
【０００６】
従来技術による医療用手袋を着用した状態で内視鏡装置を操作すると、潤滑剤が塗布されているので、内視鏡装置が医療用手袋から滑る現象が発生し、内視鏡装置の操作が難しくなるという問題点が発生する。
【０００７】
また、潤滑剤によって医療用手袋から内視鏡装置が滑る現象を防止するために、ゴーズなどを使用して内視鏡装置を覆うこともあるが、この場合、ゴーズなどが内視鏡装置にくっ付いたり患者の体内に流入することになり、汚染の問題点が発生する。
【発明の開示】
【発明が解決しようとする課題】
【０００８】
本発明は、上記のような従来技術の問題点を解決するためのもので、その目的は、医療用手袋と内視鏡装置に潤滑剤が塗布されても、医療用手袋から内視鏡装置が滑るのを防止する医療用手袋を提供することにある。
【０００９】
また、本発明の他の目的は、ゴーズなどの他の仲介手段を必要としないで、操作が容易となり、汚染が生じない医療用手袋を提供することにある。
【課題を解決するための手段】
【００１０】
上記目的を達成する本発明は、手を覆うように形成される本体部と、本体部の一側に設けられ、本体部で物体を把持するとき、物体の滑りを防止するために多数の小片として形成される滑り防止体とを含み、各滑り防止体は、所定の間隔を有して形成されて、本体部を通して物体を手で感知できるようにすることを特徴とする。
【００１１】
滑り防止体は、人差し指部分と親指部分に設けられることが好ましい。
【００１２】
滑り防止体は、不織布材質で形成されることが好ましい。
【００１３】
滑り防止体は、シリコン材質で形成されることが好ましい。
【００１４】
滑り防止体は、中指部分と手の平部分に形成されることが好ましい。
【発明の効果】
【００１５】
本発明による医療用手袋には、次のような効果がある。
【００１６】
医療用手袋に滑り防止体が設けられているので、内視鏡装置と医療用手袋に潤滑剤が塗布されても、医療用手袋から内視鏡装置が滑るのを防止することができ、内視鏡装置の操作が簡便になるという効果がある。
【００１７】
また、医療用手袋に滑り防止体が設けられており、内視鏡装置が医療用手袋から滑ることを防止する他の仲介手段を必要としないので、内視鏡装置の操作を清潔に行うことができるという効果がある。
【発明を実施するための最良の形態】
【００１８】
以下、本発明による医療用手袋の好適な実施形態に対し、添付された図面に基づいて詳細に説明する。
【００１９】
図１ないし図３に示すように、本発明の医療用手袋は、使用者の手を覆うように形成される本体部２と、本体部２の一側に設けられ、手で物体を把持するとき、物体の滑りを防止するために多数の小片として形成される滑り防止体４とを含んでいる。
【００２０】
本体部２は、図１ないし図３に示すように、手の形状、すなわち、手袋の形状であり、手首まで覆うように形成される。本体部２は、多様な材質で構成されるが、本発明では、人や動物などの医療行為を行うためのものとしての作業の安定性を考慮し、ラテックス材質で形成されることが好ましい。
【００２１】
また、本体部２を構成する材質は、薄い膜で形成されるべきである。そのようにすると、使用者は、本体部２を通して接触する物質を良好に感知することができる。すなわち、本体部２の材料として、厚い材質の一般的なゴム手袋を使用することはできない。
【００２２】
医療用手袋に設けられた滑り防止体４は、使用者が本体部２を用いて物体をピックアップするときの物体の滑りを防止するためのもので、本体部２を用いて物体を把持するとき、物体と実質的に接触する部分に形成される。例えば、物体が内視鏡装置である場合、本体部２のうち親指２ａと人差し指２ｂに滑り防止体４が設けられる。
【００２３】
滑り防止体４は、滑りが発生しない材質、すなわち、摩擦係数の高い材質で形成され、例えば、シリコン、不織布又は綿材質で形成される。これらは、本発明の医療用手袋を使用する場合、特に、使用者が内視鏡などで診察する場合、作業を容易に行うために潤滑剤を塗布するが、このときに摩擦力を持たせることができるためである。
【００２４】
すなわち、本発明の医療用手袋は、人体に使用するものであるので安全性を考慮すべきであり、シリコン、不織布又は綿材質で形成されることが好ましい。したがって、人体に有害な他の化学品で製造された材料やサンドなどの材質を使用することはできない。
【００２５】
また、本体部２のうち滑り防止体４の設置部分に滑り防止体４を設ける代わりに、本体部２を変形させて凹凸部（図示せず）を設けることで、本体部２が内視鏡装置などを把持したとき、内視鏡装置の滑りを防止することができる。ただし、その凹凸部は、摩擦係数の高い材質で形成されることが好ましい。
【００２６】
滑り防止体４は、本体部２の所定の面積にわたる広い形状として形成されるのではなく、多数の小片として形成される。すなわち、図１に示すように、各滑り防止体４の間に所定の間隔を置く。このようにすることで、使用者が本体部２を通して物体を感知できる空間を確保することができる。
【００２７】
使用者が本体部２を通して物体を安定的に感知できるように、滑り防止体４によって遮蔽される部分を最小にすることが要求される。もちろん、滑り防止体４は本来の機能を行うべきである。すなわち、滑り防止体４の機能を維持した状態で、滑り防止体４による本体部２を通した使用者の感知遮断を最小にするために、滑り防止体４は、多数の小さい形状として形成されることが好ましい。
【００２８】
例えば、図示したように、滑り防止体４は、多数の小さい円形状に形成されるが、これに限定されることなく、多角形状に形成されてもよい。
【００２９】
一方、滑り防止体４は、本体部２のうち親指部分２ａと人差し指部分２ｂに集中的に形成される。その理由は、本発明の医療用手袋が医療行為と医療機器操作を目的とするものであり、医療行為時や医療機器の操作時には親指２ａと人差し指２ｂを多く使用するためである。
【００３０】
もちろん、滑り防止体４は、図２に示すように、中指２ｃ部分にまで設けられてもよく、より広い部分での摩擦力を確保するために、手の平部分の一部や全部にも形成されてもよい。また、滑り防止体４は、図３に示すように、本体部２の全領域に設けられることもある。
【００３１】
以下、上記のような構成を有する本発明による医療用手袋の作用を詳細に説明する。
【００３２】
使用者が医療行為、すなわち、内視鏡を用いて患者を診察するための医療行為をすると仮定したとき、使用者は、医療用手袋を着用し、本体部２の全部分に潤滑剤などを塗布する。
【００３３】
潤滑剤は、上述したように、内視鏡が患者の口や、食道、肛門、大腸を通して安定的に挿入されながら移動できるように、内視鏡装置と医療用手袋に塗布する。
【００３４】
そして、使用者は、内視鏡装置を患者の体内に挿入しながら、患者の体内の臓器などを撮影するために回転させたり、内視鏡装置を通して他の薬物などを患者の体内に注入することもできる。
【００３５】
このとき、使用者は、内視鏡装置を患者の体内に挿入しながら他の動作をするとき、本発明の医療用手袋を着用すると、医療用手袋の本体部の全体に潤滑油を塗布しても、滑り防止体４によって滑りが発生しなくなるので、作業を安定的に行うことができる。
【００３６】
特に、内視鏡装置を操作するとき、使用者は本体部２のうち親指２ａと人差し指２ｂを主に使用するので、親指２ａと人差し指２ｂ部分に滑り防止体４を集中的に形成することで、医療用手袋から物体が滑ることを防止することができるとともに、本体部２を通した使用者の物体に対する接触面積を最大化することができる。
【００３７】
本発明の権利は、上述した実施形態に限定されるものでなく、特許請求の範囲に記載された通りに定義されるもので、本発明の分野で通常の知識を有する者が特許請求の範囲に記載された権利範囲内で多様に変形及び改作可能であることは自明である。
【図面の簡単な説明】
【００３８】
【図１】本発明による医療用手袋の第１実施形態を示した平面図である。
【図２】本発明による医療用手袋の第２実施形態を示した平面図である。
【図３】本発明による医療用手袋の第３実施形態を示した平面図である。
【符号の説明】
【００３９】
２  本体部
４  滑り防止体
【図１】
2010043382.tif 000003
【図２】
2010043382.tif 000004
【図３】
2010043382.tif 000005